(57)【要約】【課題】  有限のディスクメモリ内にできるだけ多くのトラック数に応じた管理情報を記憶させる。【解決手段】  新たに装着されたディスク９０の識別番号を識別用データ記憶領域１４１に記憶されている識別用データに基づいて識別し、ディスク９０の識別番号が識別された場合には、当該識別番号に対応する管理情報を補助メモリ１４から読み出してディスク９０を再生し、ディスク９０の識別番号が識別されない場合には、ディスク９０における管理情報のデータサイズを判別し、判別した管理情報のデータサイズが補助メモリ１４における管理情報記憶領域１４３の空き領域より大きい場合に当該管理情報記録領域１４３に既に記憶されている管理情報を消去し、補助メモリ１４における管理情報記憶領域１４３の空き領域に上記判別した管理情報を記憶させる。このとき、識別番号記憶領域１４１に記憶されている識別番号の配列に基づいて、消去する管理情報を決定する。【選択図】図１２
2005228380.tif 000002
【特許請求の範囲】
【請求項１】
装着されたディスク状記録媒体に記録されているコンテンツデータを再生する再生装置において、
上記ディスク状記録媒体毎に付加される識別番号を装着された順に配列化して記憶するための識別番号記憶領域と、新たに装着されたディスク状記録媒体を識別するための識別用データを上記識別番号と関連させて記憶するための識別用データ記憶領域と、ディスク状記録媒体に記録されているコンテンツデータに応じて可変長とされた管理情報を上記識別番号毎に記憶するための管理情報記憶領域とを有するディスクメモリと、
新たに装着されたディスク状記録媒体の識別番号を上記識別用データ記憶領域に記憶されている識別用データに基づいて識別するディスク識別手段と、
上記ディスク識別手段により上記ディスク状記録媒体の識別番号が識別された場合には、当該識別番号に対応する管理情報を上記ディスクメモリから読み出し、読み出した管理情報に基づいて当該ディスク状記録媒体を再生する再生手段と、
上記ディスク識別手段により上記ディスク状記録媒体の識別番号が識別されない場合には、当該ディスク状記録媒体における管理情報のデータサイズを判別するデータサイズ判別手段と、
上記データサイズ判別手段により判別された管理情報のデータサイズが上記ディスクメモリにおける管理情報記憶領域の空き領域より大きい場合に、当該管理情報記録領域に既に記憶されている管理情報を消去する管理情報消去手段と、
上記ディスクメモリにおける管理情報記憶領域の空き領域に上記判別された管理情報を記憶させる制御手段とを備え、
上記管理情報消去手段は、上記識別番号記憶領域に記憶されている識別番号の配列に基づいて、上記消去する管理情報を決定すること
を特徴とする再生装置。
【請求項２】
上記管理情報消去手段は、上記データサイズ判別手段により判別された管理情報のデータサイズに応じて複数の管理情報を消去する場合には、上記識別番号記憶領域に記憶されている識別番号の配列に基づいて上記消去すべき複数の管理情報の順序を決定すること
を特徴とする請求項１記載の再生装置。
【請求項３】
コンテンツデータ並びにこれを管理する管理情報をディスク状記録媒体へ記録する記録装置において、
上記ディスク状記録媒体毎に付加される識別番号を装着された順に配列化して記憶するための識別番号記憶領域と、新たに装着されたディスク状記録媒体を識別するための識別用データを上記識別番号と関連させて記憶するための識別用データ記憶領域と、ディスク状記録媒体に記録するコンテンツデータに応じて可変長とされた上記管理情報を上記識別番号毎に記憶するための管理情報記憶領域とを有するディスクメモリと、
記録すべきディスク状記録媒体から取得した管理情報のデータサイズを判別するデータサイズ判別手段と、
上記データサイズ判別手段により判別された管理情報のデータサイズが上記ディスクメモリにおける管理情報記憶領域の空き領域より大きい場合に、当該管理情報記録領域に既に記憶されている管理情報を消去する管理情報消去手段と、
上記ディスクメモリにおける管理情報記憶領域の空き領域に上記判別された管理情報を記憶させる制御手段とを備え、
上記管理情報消去手段は、上記識別番号記憶領域に記憶されている識別番号の配列に基づいて、上記消去する管理情報を決定すること
を特徴とする記録装置。
【請求項４】
上記管理情報消去手段は、上記データサイズ判別手段により判別された管理情報のデータサイズに応じて複数の管理情報を消去する場合には、上記識別番号記憶領域に記憶されている識別番号の配列に基づいて、上記消去すべき複数の管理情報の順序を決定すること
を特徴とする請求項３記載の記録装置。
【請求項５】
装着されたディスク状記録媒体に記録されているコンテンツデータを再生する再生方法において、
上記ディスク状記録媒体毎に付加される識別番号を装着された順に配列化して記憶するための識別番号記憶領域と新たに装着されたディスク状記録媒体を識別するための識別用データを上記識別番号と関連させて記憶するための識別用データ記憶領域とディスク状記録媒体に記録されているコンテンツデータに応じて可変長とされた管理情報を上記識別番号毎に記憶するための管理情報記憶領域とを備えるディスクメモリにアクセスし、新たに装着されたディスク状記録媒体の識別番号を上記識別用データ記憶領域に記憶されている識別用データに基づいて識別するディスク識別ステップと、
上記ディスク識別ステップにおいて上記ディスク状記録媒体の識別番号が識別された場合には、当該識別番号に対応する管理情報を上記ディスクメモリから読み出し、読み出した管理情報に基づいて当該ディスク状記録媒体を再生する再生ステップと、
上記ディスク識別ステップにおいて上記ディスク状記録媒体の識別番号が識別されない場合には、当該ディスク状記録媒体における管理情報のデータサイズを判別するデータサイズ判別ステップと、
上記データサイズ判別ステップにおいて判別した管理情報のデータサイズが上記ディスクメモリにおける管理情報記憶領域の空き領域より大きい場合に、当該管理情報記録領域に既に記憶されている管理情報を消去する管理情報消去ステップと、
上記ディスクメモリにおける管理情報記憶領域の空き領域に上記判別された管理情報を記憶させる記憶ステップとを有し、
上記管理情報消去ステップでは、上記識別番号記憶領域に記憶されている識別番号の配列に基づいて、上記消去する管理情報を決定すること
を特徴とする再生方法。
【請求項６】
上記管理情報消去ステップでは、上記データサイズ判別ステップにおいて判別した管理情報のデータサイズに応じて複数の管理情報を消去する場合には、上記識別番号記憶領域に記憶されている識別番号の配列に基づいて上記消去すべき複数の管理情報の順序を決定すること
を特徴とする請求項５記載の再生方法。
【請求項７】
コンテンツデータ並びにこれを管理する管理情報をディスク状記録媒体へ記録する記録方法において、
記録すべきディスク状記録媒体から取得した管理情報のデータサイズを判別するデータサイズ判別ステップと、
上記ディスク状記録媒体毎に付加される識別番号を装着された順に配列化して記憶するための識別番号記憶領域と新たに装着されたディスク状記録媒体を識別するための識別用データを上記識別番号と関連させて記憶するための識別用データ記憶領域とディスク状記録媒体に記録するコンテンツデータに応じて可変長とされた上記管理情報を上記識別番号毎に記憶するための管理情報記憶領域とを有するディスクメモリへアクセスし、上記データサイズ判別ステップにおいて判別した管理情報のデータサイズが上記ディスクメモリにおける管理情報記憶領域の空き領域より大きい場合に、当該管理情報記録領域に既に記憶されている管理情報を消去する管理情報消去ステップと、
上記ディスクメモリにおける管理情報記憶領域の空き領域に上記判別した管理情報を記憶させる記憶ステップとを有し、
上記管理情報消去ステップでは、上記識別番号記憶領域に記憶されている識別番号の配列に基づいて上記消去する管理情報を決定すること
を特徴とする記録方法。
【請求項８】
上記管理情報消去ステップでは、上記データサイズ判別ステップにおいて判別した管理情報のデータサイズに応じて複数の管理情報を消去する場合には、上記識別番号記憶領域に記憶されている識別番号の配列に基づいて上記消去すべき複数の管理情報の順序を決定すること
を特徴とする請求項７記載の記録方法。
【発明の詳細な説明】
【技術分野】
【０００１】
本発明は、装着されたディスク状記録媒体の各コンテンツデータにつき、これを管理する管理情報に基づいて再生する再生装置及び方法、並びにこれらコンテンツデータ並びに管理情報をディスク状記録媒体へ記録する記録装置及び方法に関する。
【背景技術】
【０００２】
光ディスクは、磁気ディスク等と比較して記録容量を２〜３倍大きくでき、テープ状記録媒体と比較して高速アクセスが可能となる。また、記録媒体に対して非接触でデータの記録／再生を行うことができ、さらには耐久性にも優れていることから、近年において特に頻繁に用いられるようになってきている。
【０００３】
このような光ディスクとしては、ピットとしてデータを記録した再生専用領域を有する標準的なＣＤフォーマット（ＣＤ−ＤＡフォーマット）に従った再生専用の光ディスク、データの記録再生可能な例えば光磁気記録媒体により形成された記録再生領域を有する上記ＣＤ−ＤＡフォーマットの拡張フォーマットとしてのＣＤ−ＭＯフォーマットに従った光磁気ディスクや、ピットとしてデータを記録した再生専用領域とデータの記録再生可能な記録再生領域の両方を有するハイブリッドディスクなどが知られている。
【０００４】
従来において、光磁気ディスクやハイブリッドディスクなどのディスク状記録媒体にデータを記録するディスク記録再生装置では、記録中に記録データが無用なデータになった場合、手動操作により記録を停止するようになっていた。例えば、コンパクトディスクから光磁気ディスクへ曲を録音する場合、ＣＤプレーヤの再生が終了後、手動操作により光磁気ディスクレコーダによる録音を停止していた。
【０００５】
ここで、光ディスクや磁気ディスクなどのディスク状記録媒体では、メインデータを記録するメインデータ記録領域と管理情報を記録する管理情報領域を設け、上記管理情報領域に記録した管理情報により、上記メインデータ記録領域について記録済領域と記録可能領域を管理するようにしている。例えば、上記ＣＤフォーマットに従った光ディスクでは、演奏データなどのプログラムデータが記録されたデータ領域と、その内周側に設けられたリードイン領域とを有し、上記データ領域の記録位置や記録内容を示す目録(ＴＯＣ：Table of Contents)データとして、全てのプログラムデータについて順番に記録開始アドレス情報と記録終了アドレス情報が上記リードイン領域に記録されている。
【０００６】
また近年において、直径６４ｍｍの光ディスクをカートリッジに収納してなるミニディスク(登録商標)を用いて、音楽信号などをディジタル的に記録再生するＭＤシステムが提案されている（例えば、特許文献１参照。）。このミニディスクには、再生専用光ディスク、記録可能な光磁気ディスク、再生専用領域と記録可能領域が混在するハイブリッドディスクの３種類のものがある。そして、メインデータの記録再生可能なＭＤシステムでは、ミニディスクの記録可能領域内にプログラム領域とＵＴＯＣ領域を設けて、上記プログラム領域について、その記録位置や記録内容を示す目録（ＵＴＯＣ）データを上記ＵＴＯＣ領域に記録するようになっている。すなわち、ミニディスクシステムの場合は、ディスク上でユーザが録音を行った領域（データ記録済領域）や、まだ何も録音されていない領域（データ記録可能な未記録領域）を管理するために、音楽等の主データとは別の管理情報が記録されている。そして記録装置はこのＵＴＯＣを参照しながら録音を行う領域を判別し、また再生装置はＵＴＯＣを参照して再生すべき領域を判別している。
【０００７】
つまり、ＵＴＯＣには録音された各楽曲等がトラックというデータ単位で管理され、そのスタートアドレス、エンドアドレス等が記される。また何も録音されていないフリーエリアについては今後のデータ記録に用いることのできる領域として、そのスタートアドレス、エンドアドレス等が記される。
【０００８】
また、このようなミニディスクシステムでは、編集機能の一部としてディスクタイトル等を示すことのできるディスクネーム及びトラック（プログラム）単位で記録される楽曲等のタイトルを示すことのできるトラックネームを、ユーザが所定の操作方法に従って入力して登録することが可能とされている。ミニディスクシステムでは、このようなディスクネーム及びトラックネーム（以下両者を一括した場合は、これを単に「ネーム」ということもある）として登録された文字情報もＵＴＯＣ上の所定領域において格納するようにしており、例えば再生時等に際して、必要に応じてＵＴＯＣに格納されたディスクネーム及び所望のトラックのトラックネームを参照して表示出力させることができるようになっている。
【０００９】
また特に近年において、再生装置では、一つの曲をリピート再生し、又はランダムに再生する機能に加え、複数のグループにまとめて再生する機能、ブックマークに登録されたトラックのみ再生する機能、予め登録された再生順序に基づいて曲を再生するプログラム再生機能等、様々なバリエーションに富んだ再生が実現できるようになっている。これらブックマークに登録されたトラックや、再生順序に登録されたトラックについても、上述したＵＴＯＣ上の所定領域へ格納しておくこともできる。
【００１０】
また、この再生装置では、一度設定したブックマークや再生順序を示す管理情報をディスク状記録媒体毎にディスクメモリ等に予め自動記憶させておき、再生すべきディスク状記録媒体が新たに装着された場合に、当該ディスク状記録媒体に応じた管理情報が事前に上記ディスクメモリ内に記憶されていれば、これを読み出して所望の再生を実行することもできる。これにより、使用頻度の高いディスク状記録媒体については、再生装置に装着される都度、ブックマークや再生順序等を登録する労力を軽減させることができる。
【００１１】
【特許文献１】特開２００２−１５０７４９号公報
【発明の開示】
【発明が解決しようとする課題】
【００１２】
しかしながら、従来のディスクメモリに記憶できる管理情報は、最大２０トラック分であり限定されていた。特に近年において、記録容量の増加を実現させた次世代ディスクが提案されているところ、２０トラック以上のブックマークや再生順序に応じた管理情報をディスクメモリ内に自動記憶するケースもあることから、一枚のディスク状記録媒体に対する管理情報のデータ量を可変にするとともに、これを記憶する有限のディスクメモリを有効活用する必要性も生じていた。
【００１３】
そこで、本発明は、上述した課題に鑑みて案出されたものであり、その目的とするところは、装着されたディスク状記録媒体を再生する再生装置及び方法、並びに再生すべきコンテンツデータをディスク状記録媒体へ記録する記録装置及び方法に関し、特に、有限のディスクメモリ内にできるだけ多くのトラック数に応じた管理情報を記憶させることができる再生装置及び方法、記録装置及び方法を提供することにある。
【課題を解決するための手段】
【００１４】
本発明は、装着されたディスク状記録媒体に記録されているコンテンツデータを再生する際に、ディスク状記録媒体毎に付加される識別番号を装着された順に配列化して記憶するための識別番号記憶領域と新たに装着されたディスク状記録媒体を識別するための識別用データを上記識別番号と関連させて記憶するための識別用データ記憶領域とディスク状記録媒体に記録されているコンテンツデータに応じて可変長とされた管理情報を上記識別番号毎に記憶するための管理情報記憶領域とを備えるディスクメモリにアクセスし、新たに装着されたディスク状記録媒体の識別番号を上記識別用データ記憶領域に記憶されている識別用データに基づいて識別し、上記ディスク状記録媒体の識別番号が識別された場合には、当該識別番号に対応する管理情報を上記ディスクメモリから読み出して当該ディスク状記録媒体を再生し、上記ディスク状記録媒体の識別番号が識別されない場合には、当該ディスク状記録媒体における管理情報のデータサイズを判別し、判別した管理情報のデータサイズがディスクメモリにおける管理情報記憶領域の空き領域より大きい場合に、当該管理情報記録領域に既に記憶されている管理情報を消去し、ディスクメモリにおける管理情報記憶領域の空き領域に上記判別された管理情報を記憶させる。このとき、識別番号記憶領域に記憶されている識別番号の配列に基づいて、上記消去する管理情報を決定する。
【００１５】
即ち、本発明を適用した再生装置は、装着されたディスク状記録媒体に記録されているコンテンツデータを再生する再生装置において、ディスク状記録媒体毎に付加される識別番号を装着された順に配列化して記憶するための識別番号記憶領域と、新たに装着されたディスク状記録媒体を識別するための識別用データを識別番号と関連させて記憶するための識別用データ記憶領域と、ディスク状記録媒体に記録されているコンテンツデータに応じて可変長とされた管理情報を識別番号毎に記憶するための管理情報記憶領域とを有するディスクメモリと、新たに装着されたディスク状記録媒体の識別番号を識別用データ記憶領域に記憶されている識別用データに基づいて識別するディスク識別手段と、ディスク識別手段によりディスク状記録媒体の識別番号が識別された場合には、当該識別番号に対応する管理情報をディスクメモリから読み出し、読み出した管理情報に基づいて当該ディスク状記録媒体を再生する再生手段と、ディスク識別手段によりディスク状記録媒体の識別番号が識別されない場合には、当該ディスク状記録媒体における管理情報のデータサイズを判別するデータサイズ判別手段と、データサイズ判別手段により判別された管理情報のデータサイズがディスクメモリにおける管理情報記憶領域の空き領域より大きい場合に、当該管理情報記録領域に既に記憶されている管理情報を消去する管理情報消去手段と、ディスクメモリにおける管理情報記憶領域の空き領域に上記判別された管理情報を記憶させる制御手段とを備え、管理情報消去手段は、識別番号記憶領域に記憶されている識別番号の配列に基づいて、上記消去する管理情報を決定する。
【００１６】
また、本発明を適用した再生方法は、装着されたディスク状記録媒体に記録されているコンテンツデータを再生する再生方法において、ディスク状記録媒体毎に付加される識別番号を装着された順に配列化して記憶するための識別番号記憶領域と新たに装着されたディスク状記録媒体を識別するための識別用データを識別番号と関連させて記憶するための識別用データ記憶領域とディスク状記録媒体に記録されているコンテンツデータに応じて可変長とされた管理情報を識別番号毎に記憶するための管理情報記憶領域とを備えるディスクメモリにアクセスし、新たに装着されたディスク状記録媒体の識別番号を識別用データ記憶領域に記憶されている識別用データに基づいて識別するディスク識別ステップと、ディスク識別ステップにおいてディスク状記録媒体の識別番号が識別された場合には、当該識別番号に対応する管理情報をディスクメモリから読み出し、読み出した管理情報に基づいて当該ディスク状記録媒体を再生する再生ステップと、ディスク識別ステップにおいてディスク状記録媒体の識別番号が識別されない場合には、当該ディスク状記録媒体における管理情報のデータサイズを判別するデータサイズ判別ステップと、データサイズ判別ステップにおいて判別した管理情報のデータサイズがディスクメモリにおける管理情報記憶領域の空き領域より大きい場合に、当該管理情報記録領域に既に記憶されている管理情報を消去する管理情報消去ステップと、ディスクメモリにおける管理情報記憶領域の空き領域に判別された管理情報を記憶させる記憶ステップとを有し、管理情報消去ステップでは、識別番号記憶領域に記憶されている識別番号の配列に基づいて消去する管理情報を決定する。
【００１７】
本発明は、コンテンツデータ並びにこれを管理する管理情報をディスク状記録媒体へ記録する際に、記録すべきディスク状記録媒体から取得した管理情報のデータサイズを判別し、ディスク状記録媒体毎に付加される識別番号を装着された順に配列化して記憶するための識別番号記憶領域と新たに装着されたディスク状記録媒体を識別するための識別用データを識別番号と関連させて記憶するための識別用データ記憶領域とディスク状記録媒体に記録するコンテンツデータに応じて可変長とされた管理情報を識別番号毎に記憶するための管理情報記憶領域とを有するディスクメモリへアクセスし、判別した管理情報のデータサイズがディスクメモリにおける管理情報記憶領域の空き領域より大きい場合に、当該管理情報記録領域に既に記憶されている管理情報を消去し、ディスクメモリにおける管理情報記憶領域の空き領域に判別した管理情報を記憶させる。このとき、識別番号記憶領域に記憶されている識別番号の配列に基づいて消去する管理情報を決定する。
【００１８】
即ち、本発明を適用した記録装置は、コンテンツデータ並びにこれを管理する管理情報をディスク状記録媒体へ記録する記録装置において、ディスク状記録媒体毎に付加される識別番号を装着された順に配列化して記憶するための識別番号記憶領域と、新たに装着されたディスク状記録媒体を識別するための識別用データを識別番号と関連させて記憶するための識別用データ記憶領域と、ディスク状記録媒体に記録するコンテンツデータに応じて可変長とされた管理情報を識別番号毎に記憶するための管理情報記憶領域とを有するディスクメモリと、記録すべきディスク状記録媒体から取得した管理情報のデータサイズを判別するデータサイズ判別手段と、データサイズ判別手段により判別された管理情報のデータサイズが上記ディスクメモリにおける管理情報記憶領域の空き領域より大きい場合に、当該管理情報記録領域に既に記憶されている管理情報を消去する管理情報消去手段と、ディスクメモリにおける管理情報記憶領域の空き領域に判別された管理情報を記憶させる制御手段とを備え、管理情報消去手段は、識別番号記憶領域に記憶されている識別番号の配列に基づいて消去する管理情報を決定する。
【００１９】
また、本発明を適用した記録方法は、コンテンツデータ並びにこれを管理する管理情報をディスク状記録媒体へ記録する記録方法において、記録すべきディスク状記録媒体から取得した管理情報のデータサイズを判別するデータサイズ判別ステップと、ディスク状記録媒体毎に付加される識別番号を装着された順に配列化して記憶するための識別番号記憶領域と新たに装着されたディスク状記録媒体を識別するための識別用データを識別番号と関連させて記憶するための識別用データ記憶領域とディスク状記録媒体に記録するコンテンツデータに応じて可変長とされた管理情報を識別番号毎に記憶するための管理情報記憶領域とを有するディスクメモリへアクセスし、データサイズ判別ステップにおいて判別した管理情報のデータサイズがディスクメモリにおける管理情報記憶領域の空き領域より大きい場合に、当該管理情報記録領域に既に記憶されている管理情報を消去する管理情報消去ステップと、ディスクメモリにおける管理情報記憶領域の空き領域に判別した管理情報を記憶させる記憶ステップとを有し、管理情報消去ステップでは、識別番号記憶領域に記憶されている識別番号の配列に基づいて消去する管理情報を決定する。
【発明の効果】
【００２０】
本発明では、管理情報をビット単位で管理するとともに、そのデータ量を可変とし、さらにこれを記憶する有限のディスクメモリを有効活用することができるため、多くのトラック数に応じた管理情報を記憶することができる。
【発明を実施するための最良の形態】
【００２１】
以下、本発明を実施するための最良の形態として、多岐に亘る記録／再生機能が搭載されたディスクドライブ装置１０につき図面を参照しながら詳細に説明する。
【００２２】
ディスクドライブ装置１０は、従来の光磁気記録方式を採用したディスク状記録媒体に対して、このディスク状記録媒体の記録再生方式として通常用いられ記録フォーマットとは異なる信号方式を適用することによって、従来の光磁気記録媒体の記録容量を増加することを実現したものである。さらに、高密度記録技術及び新規ファイルシステムを適用することによって、従来の光磁気記録媒体と筐体外形及び記録再生光学系に互換性を有しつつ、記録容量を飛躍的に増加することを可能にした記録形式を提供するものである。
【００２３】
本具体例では、ディスク状の光磁気記録媒体として、ミニディスク（登録商標）方式の記録媒体に適用した場合に関して説明する。ここでは、特に、通常用いられる記録形式とは異なる形式を適用することによって、従来の光磁気記録媒体を用いて、その記録容量を増加することを実現したディスクを次世代ＭＤ１とし、高密度記録可能な新規記録媒体に対して新規記録形式を適用することにより、記録容量の増加を実現したディスクを次世代ＭＤ２として説明する。
【００２４】
以下では、次世代ＭＤ１及び次世代ＭＤ２の仕様例を説明するとともに、本発明に係るアドレス変換方法を適用してこれら両ディスクに対する記録データを生成する処理について説明する。
【００２５】
先ず、従来のミニディスク、次世代ＭＤ１及び次世代ＭＤ２の仕様について図１を用いて説明する。ミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式としては、ディスク盤面上にシングルスパイラルのグルーブを形成し、このグルーブの両側に対して所定の周波数（２２．０５ＫＨｚ）で蛇行したウォブル（Wobble）を形成し、絶対アドレスを上記周波数を基準にＦＭ変調してウォブルドグルーブトラックに記録する方式を採っている。なお、本明細書では、ウォブルとして記録される絶対アドレスをＡＤＩＰ（Address in Pre-groove）ともいう。
【００２６】
従来のＭＤでは、メインデータ部である３２セクタにリンクセクタである４セクタを付加して合計３６セクタを１クラスタ単位として記録を行っている。上記ＡＤＩＰ信号はクラスタアドレス、セクタアドレスから構成される。上記クラスタアドレスは、８ビットのクラスタＨと８ビットのクラスタＬとから構成され、セクタアドレスは、４ビットのセクタから構成される。
【００２７】
また、従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。データインタリーブには、畳み込み型を採用している。これにより、データの冗長度は、４６．３％となっている。
【００２８】
また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。
【００２９】
記録再生時の標準のデータレートは、１３３ｋＢ／ｓ、記録容量は、１６４ＭＢ（ＭＤ−ＤＡＴＡでは、１４０ＭＢ）である。また、データの最小書換単位（単位クラスタ）は、上述のように３２個のメインセクタと４個のリンクセクタによる３６セクタで構成されている。
【００３０】
続いて、本具体例として示す次世代ＭＤ１に関して説明する。次世代ＭＤ１は、上述した従来のミニディスクと記録媒体の物理的仕様は、同一である。そのため、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、従来のミニディスクと同様であるため、従来ディスクとの互換性が達成されている。
【００３１】
次世代ＭＤ１は、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。
【００３２】
具体的には、ホストアプリケーション等から供給されるユーザデータの２０４８バイトに４バイトのＥＤＣ（Error Detection Code）を付加した２０５２バイトを１セクタ（データセクタ、後述するディスク上の物理セクタとは異なる）とし、図２に示すように、Sector0〜Sector31の３２セクタを３０４列×２１６行のブロックにまとめる。ここで、各セクタの２０５２バイトに対しては、所定の疑似乱数との排他的論理和（Ex-OR）をとるようなスクランブル処理が施される。このスクランブル処理されたブロックの各列に対して３２バイトのパリティを付加して、３０４列×２４８行のＬＤＣ（Long Distance Code）ブロックを構成する。このＬＤＣブロックにインタリーブ処理を施して、１５２列×４９６行のブロック（Interleaved LDC Block）とし、これを図３に示すように３８列ずつ１列の上記ＢＩＳを介して配列することで１５５列×４９６行の構造とし、さらに先頭位置に２．５バイト分のフレーム同期コード（Frame Sync）を付加して、１行を１フレームに対応させ、１５７．５バイト×４９６フレームの構造とする。この図３の各行が、後述する図９に示す１レコーディングブロック（クラスタ）内のデータ領域のFrame10〜Frame505の４９６フレームに相当する。
【００３３】
以上のデータ構造において、データインタリーブは、ブロック完結型とする。これによりデータの冗長度は、２０．５０％になる。また、データの検出方式として、ＰＲ（１，２，１）ＭＬによるビタビ復号方式を用いる。
【００３４】
ディスク駆動方式には、ＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できる。
【００３５】
これらを総合すると、次世代ＭＤ１は、記録容量を従来ミニディスクの約２倍である３００ＭＢにすることができる。
【００３６】
一方、次世代ＭＤ２は、例えば、磁壁移動検出方式（ＤＷＤＤ：Domain Wall Displacement Detection）等の高密度化記録技術を適用した記録媒体であって、上述した従来ミニディスク及び次世代ＭＤ１とは、物理フォーマットが異なっている。次世代ＭＤ２は、トラックピッチが１．２５μｍ、ビット長が０．１６μｍ／ｂｉｔであり、線方向に高密度化されている。
【００３７】
また、従来ミニディスク及び次世代ＭＤ１との互換を採るため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も従来ミニディスク及び次世代ＭＤ１と同一規格とする。
【００３８】
但し、従来ミニディスク及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更した点が特徴的である。具体的には、グルーブの溝深さを１６０ｎｍ〜１８０ｎｍ、傾斜を６０°〜７０°、幅を６００ｎｍ〜８００ｎｍの範囲と定める。
【００３９】
また、次世代ＭＤ２は、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。
【００４０】
データインタリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００４１】
ディスク駆動方式には、ＺＣＡＶ（Zone Constant Angular Velocity）方式を用い、その線速度は、２．０ｍ／ｓとする。記録再生時の標準データレートは、９．８ＭＢ／ｓである。したがって、次世代ＭＤ２では、ＤＷＤＤ方式及びこの駆動方式を採用することにより、総記録容量を１ＧＢにできる。
【００４２】
本具体例に示す次世代ＭＤ１の盤面上のエリア構造例を図４、図５に模式的に示す。次世代ＭＤ１は、従来ミニディスクと同じ媒体であって、ディスクの最内周側は、プリマスタードエリアとして、ＰＴＯＣ（Premastered Table Of Contents）が設けられている。ここには、ディスク管理情報が物理的な構造変形によるエンボスピットとして記録されている。ちなみに、この次世代ＭＤ１としてＰＴＯＣの一部にユーザ自身が設定可能なユニークなＩＤを設けるようにしても良い。
【００４３】
プリマスタードエリアより外周は、光磁気記録可能なレコーダブルエリアとされ、記録トラックの案内溝としてのグルーブが形成された記録再生可能領域である。このレコーダブルエリアの最内周側は、ＵＴＯＣ（User Table Of Contents）領域であって、このＵＴＯＣ領域には、ＵＴＯＣ情報が記述されるとともに、プリマスタードエリアとの緩衝エリアや、レーザ光の出力パワー調整等のために用いられるパワーキャリブレーションエリアが設けられている。
【００４４】
次世代ＭＤ２は、図５に示すように、高密度化を図るためにプリピットを用いない。したがって、次世代ＭＤ２には、ＰＴＯＣ領域がない。次世代ＭＤ２には、レコーダブルエリアのさらに内周領域に、著作権保護のための情報、データ改竄チェックのための情報、他の非公開情報等を記録するユニークＩＤエリア（Unique ID；ＵＩＤ）が設けられている。このＵＩＤエリアは、次世代ＭＤ２に適用されるＤＷＤＤ方式とは異なる記録方式で記録されている。
【００４５】
なお、ここでは、次世代ＭＤ１及び次世代ＭＤ２に音楽データ用のオーディオトラックとデータトラックとをディスク上に混在記録することもできる。この場合、例えば、図６に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。
【００４６】
一連のオーディオトラックやデータトラックは、ディスク上で必ずしも物理的に連続して記録される必要はなく、図６に示すように複数のパーツに分割して記録されていてもよい。パーツとは、物理的に連続して記録される区間を示す。すなわち、図６のように物理的に離れた２つのＰＣデータ記録領域が存在する場合でも、データトラックの数としては、１つの場合もあり、複数の場合もある。但し、図６は、次世代ＭＤ１の物理的仕様に関して示したものであるが、次世代ＭＤ２に関しても同様に、オーディオ記録領域ＡＡとＰＣ用データ記録領域ＤＡとを混在して記録することができる。
【００４７】
上述した物理的仕様を有する次世代ＭＤ１と次世代ＭＤ２との互換性を有した記録再生装置の具体例に関しては、後段で詳細に説明する。
【００４８】
図７及び図８に基づいて、本具体例のディスクの管理構造を説明する。図７は、次世代ＭＤ１のデータ管理構造を示したものであり、図８は、次世代ＭＤ２のデータ管理構造を示したものである。
【００４９】
次世代ＭＤ１では、上述したように、従来のミニディスクと同一の媒体であるため、次世代ＭＤ１では、従来ミニディスクで採用されているように書換不可能なエンボスピットによりＰＴＯＣが記録されている。このＰＴＯＣには、ディスクの総容量、ＵＴＯＣ領域におけるＵＴＯＣ位置、パワーキャリブレーションエリアの位置、データエリアの開始位置、データエリアの終了位置（リードアウト位置）等が管理情報として記録されている。
【００５０】
次世代ＭＤ１では、ＡＤＩＰアドレス００００〜０００２には、レーザの書込出力を調整するためのパワーキャリブレーションエリア（Rec Power Calibration Area）が設けられている。続く０００３〜０００５には、ＵＴＯＣが記録される。ＵＴＯＣには、トラック（オーディオトラック／データトラック）の記録・消去等に応じて書き換えられる管理情報が含まれ、各トラック及びトラックを構成するパーツの開始位置、終了位置等を管理している。また、データエリアにおいて未だトラックが記録されていないフリーエリア、すなわち書込可能領域のパーツも管理している。ＵＴＯＣ上では、ＰＣ用データ全体をＭＤオーディオデータによらない１つのトラックとして管理している。そのため、仮にオーディオトラックとデータトラックとを混在記録したとしても、複数のパーツに分割されたＰＣ用データの記録位置を管理できる。
【００５１】
また、ＵＴＯＣデータは、このＵＴＯＣ領域における特定のＡＤＩＰクラスタに記録され、ＵＴＯＣデータは、このＡＤＩＰクラスタ内のセクタ毎に、その内容が定義されている。具体的には、ＵＴＯＣセクタ０（このＡＤＩＰクラスタ内の先頭のＡＤＩＰセクタ）は、トラックやフリーエリアにあたるパーツを管理しており、ＵＴＯＣセクタ１及びセクタ４は、トラックに対応した文字情報を管理している。また、ＵＴＯＣセクタ２には、トラックに対応した記録日時を管理する情報が書き込まれる。
【００５２】
ＵＴＯＣセクタ０は、記録されたデータや記録可能な未記録領域、さらにデータの管理情報等が記録されているデータ領域である。例えば、ディスクにデータを記録する際、ディスクドライブ装置は、ＵＴＯＣセクタ０からディスク上の未記録領域を探し出し、ここにデータを記録する。また再生時には、再生すべきデータトラックが記録されているエリアをＵＴＯＣセクタ０から判別し、そのエリアにアクセスして再生動作を行う。
【００５３】
なお、次世代ＭＤ１において、ＰＴＯＣ及びＵＴＯＣは、従来のミニディスクシステムに準拠する方式、ここではＥＦＭ変調方式により変調されたデータとして記録されている。したがって、次世代ＭＤ１は、ＥＦＭ変調方式により変調されたデータとして記録された領域と、ＲＳ−ＬＤＣ及びＲＬＬ（１−７）ＰＰ変調方式で変調された高密度データとして記録された領域とを有することになる。
【００５４】
また、ＡＤＩＰアドレス００３２に記述されるアラートトラックには、従来ミニディスクのディスクドライバ装置に次世代ＭＤ１を挿入したとしても、この媒体が従来ミニディスクのディスクドライバ装置に対応していないことを知らせるための情報が格納されている。この情報は、「このディスクは、この再生装置に対応していないフォーマットです。」等の音声データ、或いは警告音データとしてもよい。また、表示部を備えるディスクドライバ装置であれば、この旨を表示するためのデータであってもよい。このアラートトラックは、従来ミニディスクに対応したディスクドライバ装置でも読取可能なように、ＥＦＭ変調方式によって記録されている。
【００５５】
ＡＤＩＰアドレス００３４には、次世代ＭＤ１のディスク情報を表したディスクディスクリプションテーブル（Disc Description Table；ＤＤＴ）が記録される。ＤＤＴには、フォーマット形式、ディスク内論理クラスタの総数、媒体固有のＩＤ、このＤＤＴの更新情報、不良クラスタ情報等が記述される。
【００５６】
ＤＤＴ領域からは、ＲＳ−ＬＤＣ及びＲＬＬ（１−７）ＰＰ変調方式で変調された高密度データとして記録されるため、アラートトラックとＤＤＴとの間には、ガードバンド領域が設けられている。
【００５７】
また、ＲＬＬ（１−７）ＰＰ変調方式で変調された高密度データが記録される最も若いＡＤＩＰアドレス、すなわち、ＤＤＴの先頭アドレスには、ここを００００とする論理クラスタ番号（Logical Cluster Number；ＬＣＮ）が付される。１論理クラスタは、６５，５３６バイトであり、この論理クラスタが読み書き最小単位となる。なお、ＡＤＩＰアドレス０００６〜００３１は、リザーブされている。
【００５８】
続くＡＤＩＰアドレス００３６〜００３８には、認証によって公開可能となるセキュアエリア（Secure Area）が設けられている。このセキュアエリアによって、データを構成する各クラスタの公開可・不可等の属性を管理している。特に、このセキュアエリアでは、著作権保護のための情報、データ改竄チェックのための情報等を記録する。また、このほかの各種の非公開情報を記録することができる。この公開不可領域は、特別に許可された特定外部機器のみが限定的にアクセスできるようになっており、このアクセス可能な外部機器を認証する情報も含まれる。
【００５９】
ＡＤＩＰアドレス００３８からは、書込及び読取自由なユーザエリア（User Area）（任意データ長）とスペアエリア（Spare Area）（データ長８）とが記述される。ユーザエリアに記録されたデータは、ＬＣＮの昇順に並べたとき、先頭から２，０４８バイトを１単位としたユーザセクタ（User Sector）に区切られており、ＰＣ等の外部機器からは、先頭のユーザセクタを００００とするユーザセクタ番号（User Sector Number；ＵＳＮ）を付してＦＡＴファイルシステムにより管理されている。
【００６０】
続いて、次世代ＭＤ２のデータ管理構造について図８を用いて説明する。次世代ＭＤ２は、ＰＴＯＣエリアを持たない。そのため、ディスクの総容量、パワーキャリブレーションエリアの位置、データエリアの開始位置、データエリアの終了位置（リードアウト位置）等のディスク管理情報は、ＰＤＰＴ（Preformat Disc Parameter Table）として全てＡＤＩＰ情報に含まれて記録されている。データは、ＢＩＳ付きのＲＳ−ＬＤＣ及びＲＬＬ（１−７）ＰＰ変調方式で変調され、ＤＷＤＤ方式で記録されている。
【００６１】
また、リードインエリア及びリードアウトエリアには、レーザパワーキャリブレーションエリア（Power Calibration Area；ＰＣＡ）が設けられる。次世代ＭＤ２では、ＰＣＡに続くＡＤＩＰアドレスを００００としてＬＣＮを付ける。
【００６２】
また、次世代ＭＤ２では、次世代ＭＤ１におけるＵＴＯＣ領域に相当するコントロール領域が用意されている。図８には、著作権保護のための情報、データ改竄チェックのための情報、他の非公開情報等を記録するユニークＩＤエリア（Unique ID；ＵＩＤ）が示されているが、実際には、このＵＩＤエリアは、リードイン領域のさらに内周位置に、通常のＤＷＤＤ方式とは異なる記録方式で記録されている。
【００６３】
次世代ＭＤ１及び次世代ＭＤ２のファイルは、ともにＦＡＴファイルシステムに基づいて管理される。例えば、各データトラックは、それぞれ独自にＦＡＴファイルシステムを持つ。或いは、複数のデータトラックにわたって１つのＦＡＴファイルシステムを記録するようにもできる。
【００６４】
続いて、本発明の具体例として示す次世代ＭＤ１及び次世代ＭＤ２のＡＤＩＰセクタ構造とデータブロックとの関係について図９を用いて説明する。従来のミニディスク（ＭＤ）システムでは、ＡＤＩＰとして記録された物理アドレスに対応したクラスタ／セクタ構造が用いられている。本具体例では、説明の便宜上、ＡＤＩＰアドレスに基づいたクラスタを「ＡＤＩＰクラスタ」と記す。また、次世代ＭＤ１及び次世代ＭＤ２におけるアドレスに基づくクラスタを「レコーディングブロック（Recording Block）」あるいは「次世代ＭＤクラスタ」と記す。
【００６５】
次世代ＭＤ１及び次世代ＭＤ２では、データトラックは、図９に示すようにアドレスの最小単位であるクラスタの連続によって記録されたデータストリームとして扱われている。
【００６６】
図９に示すように次世代ＭＤ１では、従来の１クラスタ（３６セクタ）を２分割して、１レコーディングブロックを１８セクタで構成し、次世代ＭＤ２では１６セクタで構成する。
【００６７】
図９に示す１レコーディングブロック（１次世代ＭＤクラスタ）のデータ構造としては、１０フレームのプリアンブルと、６フレームのポストアンブルと、４９６フレームのデータ部とからなる５１２フレームから構成されている。さらにこのレコーディングブロック内の１フレームは、同期信号領域と、データ、ＢＩＳ、ＤＳＶとからなる。
【００６８】
また、１レコーディングブロックの５１２フレームのうち、メインデータが記録される４９６フレームを１６等分した各々をアドレスユニット（Address Unit）とよぶ。各アドレスユニットは、３１フレームから成る。また、このアドレスユニットの番号をアドレスユニットナンバ（Address Unit Number；ＡＵＮ）とよぶ。このＡＵＮは、全てのアドレスユニットに付される番号であって、記録信号のアドレス管理に使用される。
【００６９】
次世代ＭＤ１のように、ＡＤＩＰに記述された物理的なクラスタ／セクタ構造を有する従来ミニディスクに対して、１−７ＰＰ変調方式で変調された高密度データを記録する場合、ディスクに元々記録されたＡＤＩＰアドレスと、実際に記録するデータブロックのアドレスとが一致しなくなるという問題が生じる。ランダムアクセスは、ＡＤＩＰアドレスを基準として行われるが、ランダムアクセスでは、データを読み出す際、所望のデータが記録された位置近傍にアクセスしても、記録されたデータを読み出せるが、データを書き込む際には、既に記録されているデータを上書き消去しないように正確な位置にアクセスする必要がある。そのため、ＡＤＩＰアドレスに対応付けした次世代ＭＤクラスタ／次世代ＭＤセクタからアクセス位置を正確に把握することが重要となる。
【００７０】
そこで、次世代ＭＤ１の場合、媒体表面上にウォブルとして記録されたＡＤＩＰアドレスを所定規則で変換して得られるデータ単位によって高密度データクラスタを把握する。この場合、ＡＤＩＰセクタの整数倍が高密度データクラスタになるようにする。この考え方に基づいて、従来ミニディスクに記録された１ＡＤＩＰクラスタに対して次世代ＭＤクラスタを記述する際には、各次世代ＭＤクラスタを１／２ＡＤＩＰクラスタ（１８セクタ）区間に対応させる。
【００７１】
したがって、次世代ＭＤ１では、従来のＭＤクラスタの１／２クラスタが最小記録単位（レコーディングブロック（Recording Block））として対応付けされている。
【００７２】
一方、次世代ＭＤ２では、１クラスタが１レコーディングブロックとして扱われるようになっている。
【００７３】
なお、本具体例では、前述したように、ホストアプリケーションから供給される２０４８バイト単位のデータブロックを１論理データセクタ（Logical Data Sector；ＬＤＳ）とし、このとき同一レコーディングブロック中に記録される３２個の論理データセクタの集合を論理データクラスタ（Logical Data Cluster；ＬＤＣ）としている。
【００７４】
以上説明したようなデータ構造とすることにより、次世代ＭＤデータを任意位置へ記録する際、媒体に対してタイミングよく記録できる。また、ＡＤＩＰアドレス単位であるＡＤＩＰクラスタ内に整数個の次世代ＭＤクラスタが含まれるようにすることによって、ＡＤＩＰクラスタアドレスから次世代ＭＤデータクラスタアドレスへのアドレス変換規則が単純化され、換算のための回路又はソフトウェア構成が簡略化できる。
【００７５】
なお、図９では、１つのＡＤＩＰクラスタに２つの次世代ＭＤクラスタを対応付ける例を示したが、１つのＡＤＩＰクラスタに３以上の次世代ＭＤクラスタを配することもできる。このとき、１つの次世代ＭＤクラスタは、１６ＡＤＩＰセクタから構成される点に限定されず、ＥＦＭ変調方式とＲＬＬ（１−７）ＰＰ変調方式におけるデータ記録密度の差や次世代ＭＤクラスタを構成するセクタ数、また１セクタのサイズ等に応じて設定することができる。
【００７６】
図９においては、記録媒体上に記録するデータ構造を示したが、次に記録媒体上のグルーブウオ―ブルトラックに記録されているＡＤＩＰ信号を、後述する図１５のＡＤＩＰ復調器３８で復調した際のデータ構造に関して説明する。
【００７７】
図１０(a)には、次世代ＭＤ２のＡＤＩＰのデータ構造が示され、図１０(b)には、次世代ＭＤ１のＡＤＩＰのデータ構造が示されている。
【００７８】
次世代ＭＤ１では、同期信号と、ディスクにおけるクラスタ番号等を示すクラスタＨ（Cluster H）情報及びクラスタＬ（Cluster L）情報と、クラスタ内におけるセクタ番号等を含むセクタ情報（Sector）とが記述されている。同期信号は、４ビットで記述され、クラスタＨは、アドレス情報の上位８ビットで記述され、クラスタＬは、アドレス情報の下位８ビットで記述され、セクタ情報は、４ビットで記述される。また、後半の１４ビットには、ＣＲＣが付加されている。以上、４２ビットのＡＤＩＰ信号が各ＡＤＩＰセクタに記録されている。
【００７９】
また、次世代ＭＤ２では、４ビットの同期信号データと、４ビットのクラスタＨ（Cluster H）情報、８ビットのクラスタＭ（Cluster M）情報及び４ビットのクラスタＬ（Cluster L）情報と、４ビットのセクタ情報とが記述される。後半の１８ビットには、ＢＣＨのパリティが付加される。次世代ＭＤ２でも同様に４２ビットのＡＤＩＰ信号が各ＡＤＩＰセクタに記録されている。
【００８０】
ＡＤＩＰのデータ構造では、上述したクラスタＨ（Cluster H）情報、クラスタＭ（Cluster M）及びクラスタＬ（Cluster L）情報の構成は、任意に決定できる。また、ここに他の付加情報を記述することもできる。例えば、図１１に示すように、次世代ＭＤ２のＡＤＩＰ信号において、クラスタ情報を上位８ビットのクラスタＨ（Cluster H）と下位８ビットのクラスタＬ（Cluster L）とで表すようにし、下位８ビットで表されるクラスタＬに替えて、ディスクコントロール情報を記述することもできる。ディスクコントロール情報としては、サーボ信号補正値、再生レーザパワー上限値、再生レーザパワー線速補正係数、記録レーザパワー上限値、記録レーザパワー線速補正係数、記録磁気感度、磁気−レーザパルス位相差、パリティ等があげられる。
【００８１】
次に図１２を用いて、次世代ＭＤ１及び次世代ＭＤ２の記録再生に対応したディスクドライブ装置１０の具体例について説明する。ここでは、ディスクドライブ装置１０は、パーソナルコンピュータ（以下、ＰＣと記す。）１００と接続でき、次世代ＭＤ１及び次世代ＭＤ２をオーディオデータのほか、ＰＣ等の外部ストレージとして使用できる。
【００８２】
ディスクドライブ装置１０は、メディアドライブ部１１と、メモリ転送コントローラ１２と、クラスタバッファメモリ１３と、補助メモリ１４と、ＵＳＢインタフェース１５、１６と、ＵＳＢハブ１７と、システムコントローラ１８と、オーディオ処理部１９と、操作部６１と、表示部６２とを備える。
【００８３】
メディアドライブ部１１は、装填された従来ミニディスク、次世代ＭＤ１、及び次世代ＭＤ２等の個々のディスク９０に対する記録／再生を行う。メディアドライブ部１１の内部構成は、図１５で後述する。
【００８４】
メモリ転送コントローラ１２は、メディアドライブ部１１からの再生データやメディアドライブ部１１に供給する記録データの送受制御を行う。クラスタバッファメモリ１３は、メディアドライブ部１１によってディスク９０のデータトラックから高密度データクラスタ単位で読み出されたデータをメモリ転送コントローラ１２の制御に基づいてバッファリングする。補助メモリ１４は、メディアドライブ部１１によってディスク９０から読み出されたＵＴＯＣデータ、ＣＡＴデータ、ユニークＩＤ、ハッシュ値等の各種管理情報や特殊情報をメモリ転送コントローラ１２の制御に基づいて記憶する。また、この補助メモリ１４は、ディスク９０毎に設定されるブックマークや再生順序等を示す管理情報を記憶する。
【００８５】
システムコントローラ１８は、ＵＳＢインタフェース１６、ＵＳＢハブ１７を介して接続されたＰＣ１００との間で通信可能とされ、このＰＣ１００との間の通信制御を行って、書込要求、読出要求等のコマンドの受信やステイタス情報、その他の必要情報の送信等を行うとともに、ディスクドライブ装置１０全体を統括制御している。
【００８６】
システムコントローラ１８は、例えば、ディスク９０がメディアドライブ部１１に装填された際に、ディスク９０からの管理情報等の読出をメディアドライブ部１１に指示し、メモリ転送コントローラ１２によって読み出されたＰＴＯＣ、ＵＴＯＣ等の管理情報等を補助メモリ１４に格納させる。
【００８７】
システムコントローラ１８は、これらの管理情報を読み込むことによって、ディスク９０のトラック記録状態を把握できる。また、ＣＡＴを読み込ませることにより、データトラック内の高密度データクラスタ構造を把握でき、ＰＣ１００からのデータトラックに対するアクセス要求に対応できる状態となる。
【００８８】
また、ユニークＩＤやハッシュ値により、ディスク認証処理及びその他の処理を実行し、これらの値をＰＣ１００に送信し、ＰＣ１００上でディスク認証処理及びその他の処理を実行させる。
【００８９】
システムコントローラ１８は、ＰＣ１００から、あるＦＡＴセクタの読出要求があった場合、メディアドライブ部１１に対して、このＦＡＴセクタを含む高密度データクラスタの読出を実行する旨の信号を与える。読み出された高密度データクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読出は必要ない。
【００９０】
このとき、システムコントローラ１８は、クラスタバッファメモリ１３に書き込まれている高密度データクラスタのデータから、要求されたＦＡＴセクタのデータを読み出す信号を与え、ＵＳＢインタフェース１５、ＵＳＢハブ１７を介して、ＰＣ１００に送信するための制御を行う。
【００９１】
また、システムコントローラ１８は、ＰＣ１００から、あるＦＡＴセクタの書込要求があった場合、メディアドライブ部１１に対して、このＦＡＴセクタを含む高密度データクラスタの読出を実行させる。読み出された高密度データクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読出は必要ない。
【００９２】
また、システムコントローラ１８は、ＰＣ１００から送信されたＦＡＴセクタのデータ（記録データ）をＵＳＢインタフェース１５を介してメモリ転送コントローラ１２に供給し、クラスタバッファメモリ１３上で該当するＦＡＴセクタのデータの書き換えを実行させる。
【００９３】
また、システムコントローラ１８は、メモリ転送コントローラ１２に指示して、必要なＦＡＴセクタが書き換えられた状態でクラスタバッファメモリ１３に記憶されている高密度データクラスタのデータを記録データとしてメディアドライブ部１１に転送させる。このとき、メディアドライブ部１１は、装着されている媒体が従来ミニディスクであればＥＦＭ変調方式で、次世代ＭＤ１又は次世代ＭＤ２であればＲＬＬ（１−７）ＰＰ変調方式で高密度データクラスタの記録データを変調して書き込む。
【００９４】
なお、本具体例として示すディスクドライブ装置１０において、上述した記録再生制御は、データトラックを記録再生する際の制御であり、ＭＤオーディオデータ（オーディオトラック）を記録再生する際のデータ転送は、オーディオ処理部１９を介して行われる。
【００９５】
オーディオ処理部１９は、入力系として、例えば、ライン入力回路／マイクロフォン入力回路等のアナログ音声信号入力部、Ａ／Ｄ変換器、及びデジタルオーディオデータ入力部を備える。また、オーディオ処理部１９は、ＡＴＲＡＣ圧縮エンコーダ／デコーダ、圧縮データのバッファメモリを備える。さらに、オーディオ処理部１９は、出力系として、デジタルオーディオデータ出力部、Ｄ／Ａ変換器及びライン出力回路／ヘッドホン出力回路等のアナログ音声信号出力部を備えている。
【００９６】
ディスク９０に対してオーディオトラックが記録されるのは、オーディオ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。
【００９７】
メディアドライブ部１１では、転送された圧縮データをＥＦＭ変調方式又はＲＬＬ（１−７）ＰＰ変調方式で変調してディスク９０にオーディオトラックとして書き込む。
【００９８】
メディアドライブ部１１は、ディスク９０からオーディオトラックを再生する場合、再生データをＡＴＲＡＣ圧縮データ状態に復調してオーディオ処理部１９に転送する。オーディオ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【００９９】
操作部６１は、後述するように、ジョグダイヤルなどによる文字選択操作子と、選択するコマンドを決定するための決定キーと、再生,停止,一時停止,録音,頭出し,録音モード指定,トラックマーク等の各種キーが設けられている。この操作部６１は、ディスクドライブ装置１０の本体側に設けられる以外に、ディスクドライブ装置１０からケーブルを介して接続されたリモートコントローラ上に設けられるようにしてもよい。
【０１００】
また、表示部６２は、演奏経過時間や再生しているプログラムのタイトル等の文字情報を表示するための表示面であり、操作部６１と同様に、ディスクドライブ装置１０の本体側に設けられる以外に、ディスクドライブ装置１０からケーブルを介して接続されたリモートコントローラ上に設けられるようにしてもよい。この表示部６２における表示行数は、ディスクドライブ装置１０の本体側に設けられる場合と、リモートコントローラ上に設けられる場合との間で、互いに異ならせるようにしてもよい。ちなみに、この表示部６２は、ある程度の表示能力、即ち解像度を必要とするため、液晶表示管や蛍光表示管等を用いることが望ましい。
【０１０１】
ユーザがこのディスクドライブ装置１０に対して所望のコマンドを実行させる場合には、操作部６１を操作することにより、コマンドリストをこの表示部６２へ表示させる。
【０１０２】
図１３は、この操作部６１並びに表示部６２の概略的な構成を示している。なお、この図１３において、図１２と同一の構成要素には同一の番号を付している。
【０１０３】
操作部６１は、ディスク９０に対して信号の記録動作を行うＲＥＣキー７１と、ディスク９０から信号を再生させる再生キー７２と、上記ディスク９０に対する記録動作並びに再生動作を一時的に停止させるポーズ機能を備えるポーズキー７３と、記録動作並びに再生動作を停止させる停止キー７４と、各種コマンドを実行するためのメニューキー７５と、プッシュスイッチ付きのジョグダイヤル７６とを有している。ちなみに、この再生キー７２は、ジョグダイヤル７６におけるプッシュスイッチとして構成することにより、キー数を軽減させるようにしてもよい。
【０１０４】
また、このディスクドライブ装置１０の側面には、グループキー８１と、シャッフルキー８２と、トラックマークキー８３とが設けられている。グループキー８１は、ディスク９０の各トラックに記録すべきデータ（コンテンツ）を集合化させたグループの作成を指示するためのキーである。このグループキー８１の押圧入力操作を受けた場合には、グループ単位でディスク９０へ順次記録されていくことになる。
【０１０５】
シャッフルキー８２は、ユーザによりコンテンツのグループが指定された場合に、当該グループ内において再生順序をランダムに入れ換える（シャッフルする）ためのキーである。さらに、このトラックマークキー８３は、現在再生しているコンテンツデータの所望の位置においてトラックマークを付すためのキーである。
【０１０６】
また、この操作部６１並びに表示部６２は、ディスクドライブ装置１０本体に接続されたリモートコントローラ７７上に搭載されていてもよい。かかるリモートコントローラ７７に搭載される操作部６１として、停止キーやジョグダイヤル７６に加えて、再生や早送り、巻き戻し等を実行するための多目的ダイヤル７８や、ボリュームをコントロールするためのボリューム制御キー７９等がある。
【０１０７】
ユーザは、このジョグダイヤル７６により、表示部６２上に表示されたコマンドにカーソルをあて、プッシュスイッチを押圧することにより、所望のコマンドを指定することができる。
【０１０８】
図１４は、表示部６２における表示例を示している。録音、再生時において、システムコントローラ１８は、図１４(a)に示すような情報を表示部６２を介して表示させる。即ち、トラック番号、タイム、再生モード等のような録音、再生時に必要な情報を表示することに加え、バッテリの状態やディスクの回転状態を示す情報も表示させることができる。また録音時であるか再生時であるかにつき識別するための表示もこれに含めることができる。
【０１０９】
また、図１４(b)は、このディスクドライブ装置１０に実装された各機能に基づくコマンドを表示部を介して表示する例を示している。ちなみに、この表示部６２において一度に表示することができる行数は、多くても数行程度と限られてしまうため、多岐に亘るコマンドリストを表示させる場合には、操作部６１による操作に応じてこれをスクロールさせることにより実現する。
【０１１０】
ここでディスクドライブ装置１０に実装される機能としては、例えば、記録する曲を複数のグループにまとめて管理するグルーピング機能、またグループ化された曲を開放するグループリリース機能、記録されている曲をグループ間で移動させるＭｏｖｅ機能等、多岐に亘る機能が搭載されてきている。また一つの曲をリピート再生し、ランダムに再生する機能に加え、上述したグループ毎に再生する機能、先頭部分のみ再生する機能、ディスク９０に記録されたコンテンツデータの再生順序を予め上位から下位にかけて登録しておき、再生時にこの登録した再生順序に従って再生を行うプログラム再生機能等、様々なバリエーションに富んだ再生が実現できるようになっている。さらに表示部への表示方法やユーザに対して注意を促すための方法を自由に指定するための機能に加え、パーソナルコンピュータ等の電子機器との間でデータを送受信するための機能等がそれぞれ搭載される。
【０１１１】
ディスクドライブ装置１０では、これら各機能に応じたコマンドが予め設定され、操作部６１を介したコマンド選択によりこれら各機能に基づく動作が実行されることになる。
【０１１２】
システムコントローラ１８は、操作部６１を介して入力されたコマンドをメディアドライブ部１１へ転送し、或いは演奏経過時間やタイトル等の文字情報を表示部６２を介して表示させる。
【０１１３】
なお、この図１２,１３に示す構成は、一例であって、例えば、ディスクドライブ装置１０をＰＣ１００に接続してデータトラックのみ記録再生する外部ストレージ機器として使用する場合は、オーディオ処理部１９は、不要である。一方、オーディオ信号を記録再生することを主たる目的とする場合、オーディオ処理部１９を備え、さらにユーザインタフェースとして操作部や表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インタフェースのほか、汎用の接続インタフェースが適用できる。
【０１１４】
続いて、従来ミニディスク、次世代ＭＤ１及び次世代ＭＤ２を記録再生するためのメディアドライブ部１１の構成を図１５を用いて、さらに詳細に説明する。
【０１１５】
メディアドライブ部１１は、従来ミニディスク、次世代ＭＤ１及び次世代ＭＤ２を記録再生するために、特に、記録処理系として、従来ミニディスクの記録のためのＥＦＭ変調・ＡＣＩＲＣエンコードを実行する構成と、次世代ＭＤ１及び次世代ＭＤ２の記録のためのＲＬＬ（１−７）ＰＰ変調・ＲＳ−ＬＤＣエンコードを実行する構成とを備える点が特徴的である。また、再生処理系として、従来ミニディスクの再生のためのＥＦＭ復調・ＡＣＩＲＣデコードを実行する構成と、次世代ＭＤ１及び次世代ＭＤ２の再生にＰＲ（１，２，１）ＭＬ及びビタビ復号を用いたデータ検出に基づくＲＬＬ（１−７）復調・ＲＳ−ＬＤＣデコードを実行する構成を備えている点が特徴的である。
【０１１６】
メディアドライブ部１１は、装填されたディスク９０をスピンドルモータ２１によってＣＬＶ方式又はＺＣＡＶ方式にて回転駆動する。記録再生時には、このディスク９０に対して、光学ヘッド２２からレーザ光が照射される。
【０１１７】
光学ヘッド２２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。
【０１１８】
また、本具体例では、媒体表面の物理的仕様が異なる従来ミニディスク及び次世代ＭＤ１と、次世代ＭＤ２とに対して最大限の再生特性を得るために、両ディスクに対してデータ読取り時のビットエラーレートを最適化できる位相補償板を、光学ヘッド２２の読取光光路中に設ける。
【０１１９】
ディスク９０を挟んで光学ヘッド２２と対向する位置には、磁気ヘッド２３が配置されている。磁気ヘッド２３は、記録データによって変調された磁界をディスク９０に印加する。また、図示しないが光学ヘッド２２全体及び磁気ヘッド２３をディスク半径方向に移動させためのスレッドモータ及びスレッド機構が備えられている。
【０１２０】
このメディアドライブ部１１では、光学ヘッド２２、磁気ヘッド２３による記録再生ヘッド系、スピンドルモータ２１によるディスク回転駆動系のほかに、記録処理系、再生処理系、サーボ系等が設けられる。記録処理系としては、従来ミニディスクに対する記録時にＥＦＭ変調、ＡＣＩＲＣエンコードを行う部位と、次世代ＭＤ１及び次世代ＭＤ２に対する記録時にＲＬＬ（１−７）ＰＰ変調、ＲＳ−ＬＤＣエンコードを行う部位とが設けられる。
【０１２１】
また、再生処理系としては、従来ミニディスクの再生時にＥＦＭ変調に対応する復調及びＡＣＩＲＣデコードを行う部位と、次世代ＭＤ１及び次世代ＭＤ２の再生時にＲＬＬ（１−７）ＰＰ変調に対応する復調（ＰＲ（１，２，１）ＭＬ及びビタビ復号を用いたデータ検出に基づくＲＬＬ（１−７）復調）、ＲＳ−ＬＤＣデコードを行う部位とが設けられる。
【０１２２】
光学ヘッド２２のディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【０１２３】
従来ミニディスクの再生時には、ＲＦアンプで得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、さらにＡＣＩＲＣデコーダ２８で誤り訂正及びデインタリーブ処理される。オーディオデータであれば、この時点でＡＴＲＡＣ圧縮データの状態となる。このとき、セレクタ２９は、従来ミニディスク信号側が選択されており、復調されたＡＴＲＡＣ圧縮データがディスク９０からの再生データとしてデータバッファ３０に出力される。この場合、図１２のオーディオ処理部１９に圧縮データが供給される。
【０１２４】
一方、次世代ＭＤ１又は次世代ＭＤ２の再生時には、ＲＦアンプで得られた再生ＲＦ信号は、Ａ／Ｄ変換回路３１、イコライザ３２、ＰＬＬ回路３３、ＰＲＭＬ回路３４を介して、ＲＬＬ（１−７）ＰＰ復調部３５及びＲＳ−ＬＤＣデコーダ３６で信号処理される。再生ＲＦ信号は、ＲＬＬ（１−７）ＰＰ復調部３５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ３６にて誤り訂正及びデインタリーブ処理される。
【０１２５】
この場合、セレクタ２９は、次世代ＭＤ１・次世代ＭＤ２側が選択され、復調されたデータがディスク９０からの再生データとしてデータバッファ３０に出力される。このとき、図１２のメモリ転送コントローラ１２に対して復調データが供給される。
【０１２６】
ＲＦアンプ２４から出力されるトラッキングエラー信号ＴＥ、フォーカスエラー信号ＦＥは、サーボ回路３７に供給され、グルーブ情報は、ＡＤＩＰデコータ３８に供給される。
【０１２７】
ＡＤＩＰデコータ３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、従来ミニディスク及び次世代ＭＤ１の場合であれば、ＭＤアドレスデコーダ３９を介し、次世代ＭＤ２の場合であれば、次世代ＭＤアドレスデコーダ４０を介してドライブコントローラ４１に供給される。
【０１２８】
ドライブコントローラ４１では、各ＡＤＩＰアドレスに基づいて、所定の制御処理を実行する。またグルーブ情報は、スピンドルサーボ制御のためにサーボ回路３７に戻される。
【０１２９】
サーボ回路３７は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成する。
【０１３０】
またサーボ回路３７は、スピンドルエラー信号や、上記のようにＲＦアンプ２４から供給されたトラッキングエラー信号、フォーカスエラー信号、或いはドライブコントローラ４１からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【０１３１】
モータドライバ４２では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ディスク９０に対するフォーカス制御、トラッキング制御、及びスピンドルモータ２１に対するＣＬＶ制御又はＺＣＡＶ制御が行われる。
【０１３２】
ディスク９０に対して記録動作が実行される際には、図１２に示したメモリ転送コントローラ１２から高密度データ、或いはオーディオ処理部１９からの通常のＡＴＲＡＣ圧縮データが供給される。
【０１３３】
従来ミニディスクに対する記録時には、セレクタ４３が従来ミニディスク側に接続され、ＡＣＩＲＣエンコーダ４４及びＥＦＭ変調部４５が機能する。この場合、オーディオ信号であれば、オーディオ処理部１９からの圧縮データは、ＡＣＩＲＣエンコーダ４４でインタリーブ及びエラー訂正コード付加が行われた後、ＥＦＭ変調部４５においてＥＦＭ変調される。ＥＦＭ変調データがセレクタ４３を介して磁気ヘッドドライバ４６に供給され、磁気ヘッド２３がディスク９０に対してＥＦＭ変調データに基づいた磁界印加を行うことで変調されたデータが記録される。
【０１３４】
次世代ＭＤ１及び次世代ＭＤ２に対する記録時には、セレクタ４３が次世代ＭＤ１・次世代ＭＤ２側に接続され、ＲＳ−ＬＣＤエンコーダ４７及びＲＬＬ（１−７）ＰＰ変調部４８が機能する。この場合、メモリ転送コントローラ１２から送られた高密度データは、ＲＳ−ＬＣＤエンコーダ４７でインタリーブ及びＲＳ−ＬＤＣ方式のエラー訂正コード付加が行われた後、ＲＬＬ（１−７）ＰＰ変調部４８にてＲＬＬ（１−７）変調される。
【０１３５】
ＲＬＬ（１−７）符号列に変調された記録データは、セレクタ４３を介して磁気ヘッドドライバ４６に供給され、磁気ヘッド２３がディスク９０に対して変調データに基づいた磁界印加を行うことでデータが記録される。
【０１３６】
レーザドライバ／ＡＰＣ４９は、上記のような再生時及び記録時においてレーザダイオードにレーザ発光動作を実行させるが、いわゆるＡＰＣ（Automatic Laser Power Control）動作も行う。具体的には、図示しないが、光学ヘッド２２内には、レーザパワーモニタ用のディテクタが設けられており、このモニタ信号がレーザドライバ／ＡＰＣ４９にフィードバックされるようになっている。レーザドライバ／ＡＰＣ４９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、ドライブコントローラ４１によって、再生レーザパワー及び記録レーザパワーとしての値がレーザドライバ／ＡＰＣ４９内部のレジスタにセットされる。
【０１３７】
ドライブコントローラ４１は、システムコントローラ１８からの指示に基づいて、以上の各動作（アクセス、各種サーボ、データ書込、データ読出の各動作）が実行されるように各構成を制御する。なお、図１５において一点鎖線で囲った各部は、１チップの回路として構成することもできる。
【０１３８】
ところで、ディスク９０が図６のように、予めデータトラック記録領域とオーディオトラック記録領域とが分割して領域設定されている場合、システムコントローラ１８は、記録再生するデータがオーディオトラックかデータトラックかに応じて、設定された記録領域に基づいたアクセスをメディアドライブ部１１のドライブコントローラ４１に指示することになる。
【０１３９】
また、装着されたディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【０１４０】
したがって、本具体例として示すディスクドライブ装置１０は、上述した構成を備えることにより、従来ミニディスク、次世代ＭＤ１及び次世代ＭＤ２の間の互換性を実現できる。
【０１４１】
なお、本具体例として示すディスクドライブ装置１０は、上述した記録動作のみ実行する記録装置、或いは上述した再生動作のみ実行する再生装置として構成してもよいことは勿論である。
【０１４２】
次に、本発明を適用したディスクドライブ装置１０におけるメニュー操作方法につき説明をする。
【０１４３】
図１６は、各種モードの設定に至るまでのツリー構成を示している。ユーザによる操作部６１の操作によりメニューキー７５が押圧されると、表示部６２には、“オプション”を始めとした第１階層に登録されているコマンドが表示されることになる。この第１階層において“オプション”の項目が選択されると、“メニューモード”、“ＡＶＬＳ”、“Ｂｅｅｐ”、“Ｄｉｓｃ  Ｍｅｍ”、“Ｐｏｗｅｒ  Ｍｏｄｅ”等のような第２階層に登録されている項目が表示される。ここで“Ｄｉｓｃ  Ｍｅｍ”の項目が選択されると、第３階層において、管理情報を補助メモリ１４に自動記憶するか否かにつき選択が促されることになる。
【０１４４】
ここで、“Ｄｉｓｃ  Ｍｅｍ”につき第３階層において“ＯＮ”が選択された場合に、システムコントローラ１８は、装着されたディスク９０毎に設定されているブックマークやプログラムを示す管理情報を補助メモリ１４へ順次記憶させる。また、この第３階層において“ＯＦＦ”が設定された場合に、システムコントローラ１８は、装着されたディスク９０毎に設定されている管理情報につき、特に補助メモリ１４へ記憶させることはしない。更に、この第３階層において、“１Ｍｅｍ  Ｅｒａｓｅ”が選択された場合に、システムコントローラ１８は、補助メモリ１４に記憶されている各種管理情報を消去するように制御する。ちなみに、このシステムコントローラ１８は、この第３階層においてユーザより選択された項目に応じて表示部６２の表示内容を変更するようにしてもよい。
【０１４５】
ここで、この第３階層において“ＯＮ”が選択された結果、システムコントローラ１８による制御の下、管理情報を補助メモリ１４へ順次記憶させる場合には、ディスク９０がディスクドライブ装置１０から取り出される直前にこれを行う。
【０１４６】
図１７は、この管理情報を記憶する補助メモリ１４のマッピング例を示している。この図１７に示すように、補助メモリ１４は、ディスク９０毎に付加される識別番号を装着された順に配列化して記憶するための識別番号記憶領域１４１と、新たに装着されたディスク９０を識別するための識別用データを識別番号と関連させて記憶するための識別用データ記憶領域１４２と、ディスク９０に記録されているコンテンツデータに応じて可変長とされた管理情報を記憶するための管理情報記憶領域１４３とを有する。
【０１４７】
ここでディスク９０につき、識別番号Ｎ０１，Ｎ０２，Ｎ０３の順で装着され、取り出された場合には、図１７に示すように、識別用データ記憶領域１４２には、各識別番号Ｎ０１，Ｎ０２，Ｎ０３と関連した識別用データとしてＤｉｓｋＩＤ（Ｎ０１）、ＤｉｓｋＩＤ（Ｎ０２）、ＤｉｓｋＩＤ（Ｎ０３）がそれぞれ順に記憶される。また、管理情報記憶領域１４３についても同様に、各識別番号に対応した管理情報（Ｎ０１，Ｎ０２，Ｎ０３）が順に記憶されることになる。さらに、識別番号記憶領域１４１については、図１７に示す0000h行１列目にあるアドレス（以下、スタートアドレスという。）に新たに装着されたディスク９０の識別番号を記憶させる。ちなみに、このスタートアドレスにつき、新たに装着されたディスク９０の識別番号を記憶しようとしたときに、当該アドレスに以前記憶した識別番号が存在している場合には、これを順に右のアドレス位置へシフトさせる。
【０１４８】
例えば、図１８(a)に示すように、識別番号Ｎ０１のディスク９０が最初に装着された場合には、スタートアドレスに識別番号Ｎ０１が書き込まれ、0000h行０列目にあるアドレスには、次に空いている列アドレスとして“２”が書き込まれる。
【０１４９】
次に、識別番号Ｎ０２のディスク９０が装着された場合には、図１８(b)に示すように、識別番号Ｎ０１を右のアドレス位置（0000h行２列目）へシフトさせ、スタートアドレスに識別番号Ｎ０２を書き込む。0000h行０列目にあるアドレスには、次に空いている列アドレスとして“３”が書き込まれることになる。
【０１５０】
次に識別番号Ｎ０３のディスク９０が装着された場合には、図１８(c)に示すように、識別番号Ｎ０１を更に右のアドレス位置（0000h行３列目）へシフトさせ、識別番号Ｎ０２を右のアドレス位置（0000h行２列目）へシフトさせ、スタートアドレスに識別番号Ｎ０３を書き込む。また、0000h行０列目にあるアドレスには、次に空いている列アドレスとして“４”が書き込まれることになる。
【０１５１】
このようにして、本発明を適用したディスクドライブ装置１０では、新たに装着されたディスク９０から管理情報を取得する都度、識別番号記憶領域１４１に既に記憶されている識別番号を右側にシフトさせてスタートアドレスを書き込み可能な状態にする。その結果、スタートアドレスには、最後に装着されたディスク９０の識別番号が書き込まれ、これ以降右にシフトするにつれて先に装着されたディスク９０の識別番号が書き込まれている状態となる。
【０１５２】
次に、この識別用データ記憶領域１４２並びに管理情報記憶領域１４３に記憶されている各種情報につき説明をする。
【０１５３】
この識別用データ記憶領域１４２に記録される識別用データの項目は、図１９に示すように、“ＤｉｓｋＩＤ”、“ＰＬＡＹＭＯＤＥ”、“ＶＯＬ”、“ＳＯＵＮＤ設定”、“Ｐｒｏｇｒａｍ設定曲数”、“ＧＰ  Ｐｒｏｇｒａｍ設定ＧＰ数”、“Ｂｏｏｋｍａｒｋ／ＤＰＣ設定”等に分類されている。この識別用データ記憶領域１４２の先頭には、識別番号としての“ＤｉｓｋＩＤ”の項目が設けられている。即ち、この識別用データは、識別番号毎に個別にテーブル化されて構成されていることを意味している。ちなみに、この“ＤｉｓｋＩＤ”は、従来ミニディスクであれば２byteで構成され（前半６byteは、０ｘ００で埋める）、次世代ＭＤであれば８byteで構成される。
【０１５４】
“ＭＤ／次世代ＭＤ”は、従来ミニディスクであるか、或いは次世代ＭＤであるかを判別するための識別用データであり、１byteで表される。また“ＰＬＡＹＭＯＤＥ”は、リピート再生等の各種再生モードを規定するための識別用データであり、１byteで表される。また“ＶＯＬ”は、音量につき規定するための識別用データであり、また“ＳＯＵＮＤ設定”は、音質等につき規定するための識別用データであり、それぞれ１byteで表される。また“Ｐｒｏｇｒａｍ設定曲数”は、再生順序につき登録された曲数（トラック数）を規定し、“ＧＰ  Ｐｒｏｇｒａｍ設定ＧＰ数”は、再生順序につき登録されたグループ数を規定し、それぞれ１byteで表される。
【０１５５】
“Ｂｏｏｋｍａｒｋ／ＤＰＣ設定”は、ブックマーク設定されたトラックや、再生速度につき規定し、１byteで表される。ここでは、ブックマーク設定が存在しない場合には、“0000xxxx”で表し、またブックマーク設定が存在する場合には、“0001xxxx”で表す。また再生速度については、例えば１３ステップで規定され、１byte中の下４桁のビットでこれを表現する。
【０１５６】
管理情報記憶領域１４３の記憶される管理情報については、図１９に示すように、“総収録曲数”、“Ｐｒｏｇｒａｍ設定”、“ＧＰ  Ｐｒｏｇｒａｍ設定”、“Ｂｏｏｋｍａｒｋ”等がある。最大２byteで表現される“総収録曲数”には、ディスク９０に記録されている曲の総数が規定される。ちなみに、従来ミニディスクの最大収録曲数は２５５曲であり１byteで表され、次世代ＭＤの最大収録曲数は２０４７曲であり２byteで表される。
【０１５７】
“Ｐｒｏｇｒａｍ設定”のbyte数ｎについては、識別用データ記憶領域１４２の“Ｐｒｏｇｒａｍ設定曲数”に規定されている曲数ｍｔに応じて可変とする。本実施の形態では、従来ミニディスクの場合には、ｎ＝ｍｔ(byte)とし、また次世代ＭＤの場合にはこのｎ＝ｍｔ×２(byte)とする。
【０１５８】
“ＧＰ  Ｐｒｏｇｒａｍ設定”のbyte数ｍについては、識別用データ記憶領域１４２の“ＧＰ  Ｐｒｏｇｒａｍ設定ＧＰ数”に規定されている曲数ｍｓに応じて可変とする。本実施の形態では、ｍ＝ｍｓ(byte)で構成する。
【０１５９】
“Ｂｏｏｋｍａｒｋ”のbyte数ｋについては、ディスク９０に記録されている曲の総数ｔｓに基づいて可変とする。本実施の形態では、ｋ＝ｔｓ／８＋１の整数部分で構成する。
【０１６０】
即ち、本発明を適用したディスクドライブ装置１０では、管理情報記憶領域１４３に記憶する管理情報を、各識別用データに応じて可変長とすることにより、補助メモリ１４の領域を有効活用することができる。特に、記録容量の増加を実現させた次世代ＭＤについては、ブックマークや再生順序を２０曲以上に亘り設定する場合もあるが、かかる場合において特に補助メモリ１４の領域を効率的に利用することができ、バリエーションに富んだ再生動作を実行することができる。
【０１６１】
また、本発明を適用したディスクドライブ装置１０では、従来においてbyte単位で記憶し、或いは管理していたブックマーク設定やプログラムを、ビット単位で記憶し、或いは管理することもできる。これにより、ブックマーク設定やプログラム設定することができる曲数を大幅に増やすことができ、例えば２０４７曲記録可能な次世代ＭＤであれば９枚程度まで、また５００曲記録可能な次世代ＭＤであれば２０枚程度まで、管理情報を記憶することができる。特に上述の如き補助メモリ１４を有効に活用できるため、これと相俟って記憶できる情報量を格段に増やすこともできる。
【０１６２】
このように、管理情報や識別番号等が補助メモリ１４に書き込まれた状態において、再生すべきディスク９０が新たに装着された場合には、システムコントローラ１８による制御の下、補助メモリ１４の識別用データ記憶領域１４２に記憶されている識別用データに基づいて、当該ディスク９０が識別番号記憶領域１４１の如何なる識別番号に該当するか判別する。識別用データ記憶領域１４２には、識別番号と関連させて識別用データが記憶されているため、かかる識別用データを介して容易に識別番号を照合することができる。
【０１６３】
その結果、新たに装着されたディスク９０の識別番号が識別番号記憶領域１４１に記憶されている何れかの識別番号と一致する場合、当該ディスク９０の管理情報は、既に補助メモリ１４内に取得されていることを意味している。かかる場合において、システムコントローラ１８は、当該ディスク９０の識別番号に応じた管理情報を管理情報記憶領域１４３から読み出し、読み出した管理情報に基づいてこのディスク９０の再生を行う。これにより、ディスク９０をディスクドライブ装置１０に新たに装着するのみで、以前ユーザ自身が行った当該ディスク９０についての再生順序の設定やブックマーク設定を読み出して所望の再生を実行することもできるため、ディスク９０が再生装置に装着される度にブックマークや再生順序等を登録する労力を軽減させることができる。
【０１６４】
なお、新たに装着されたディスク９０の識別番号が識別番号記憶領域１４１に記憶されている何れかの識別番号と一致しない場合、換言すれば新たに装着されたディスク９０が以前記憶した識別番号との間において識別されない場合には、今回初めて装着されたディスク９０であるものと判別する。かかる場合には、当該ディスク９０の管理情報を上述の如く取得して管理情報記憶領域１４３に記憶させるとともに、識別番号を識別番号記憶領域１４１に記憶させる。これにより、次回以降において同一のディスク９０が装着された場合に、この管理情報記憶領域１４３に記憶させた管理情報を読み出して所望の再生動作を実行することができる。なお、管理情報記憶領域１４３において新たな管理情報を記憶するための空き領域が存在しない場合には、後述の如く最先に記憶された管理情報から順に消去することで、空き領域を確保する。
【０１６５】
図２０は、かかる管理情報を消去する手順を示している。
【０１６６】
先ず“Ｄｉｓｃ  Ｍｅｍ”の第３階層がＯＮであることを確認した上で、ステップＳ１１へ移行し、システムコントローラ１８は、今回新たに装着されたディスク９０における管理情報のデータサイズを判別する。
【０１６７】
次にステップＳ１２へ移行し、ステップＳ１１において判別した管理情報のデータサイズと、補助メモリ１４における管理情報記憶領域１４３の空き領域とを比較する。その結果、かかる管理情報のデータサイズが管理情報記憶領域１４３における空き領域よりも大きい場合には、ステップＳ１３へ移行し、管理情報のデータサイズが管理情報記憶領域１４３における空き領域以下の場合には、ステップＳ１４へ移行する。管理情報のデータサイズは、識別用データに応じて可変であるため、ステップＳ１２において管理情報のデータサイズを前もって判別することにより、実際に管理情報記憶領域１４３の空き領域にこれを書き込むことができるか確認することができる。
【０１６８】
ステップＳ１３へ移行した場合には、管理情報記憶領域１４３の空き領域に、今回新たに装着されたディスク９０における管理情報を記憶させる。
【０１６９】
一方、ステップＳ１４へ移行した場合には、新たに記憶すべき管理情報のデータサイズが、補助メモリ１４における管理情報記憶領域１４３の空き領域を超えているため、現在のところ書き込みを行うことができないことを意味している。このため、システムコントローラ１８による制御の下、管理情報記憶領域１４３に記憶されている管理情報を消去することにより、空き領域を確保する。実際に管理情報を消去する場合には、識別番号記憶領域１４１に配列された識別番号に基づいて、管理情報を消去する。
【０１７０】
このステップＳ１４における管理情報の消去前の識別番号記憶領域１４１は、例えば図２１に示すように、スタートアドレスに最後に装着されたディスク９０の識別番号（Ｎ０３）が書き込まれ、これ以降右（下）にシフトするにつれて先に記憶されたディスク９０の識別番号（Ｎ０２、Ｎ０１、・・・）が順次書き込まれ、さらに最先に記憶された管理情報に基づく識別番号から順に最右下よりN０４、N０５、N０６、N０７、・・と配列された状態となっている。
【０１７１】
このステップＳ１４において、システムコントローラ１８は、消去すべき管理情報を最初にこのディスクドライブ装置に装着されたディスク９０の管理情報から順に決定していく。この図２１に示す例においては、最右下に位置する識別番号Ｎ０４のディスク９０の管理情報を最初に消去すべきものとして決定する。即ち、最先に記憶された管理情報は、特にブックマークやプログラムの書き換え等もなされてなく、再生頻度の低いディスク９０の管理情報であると考えられるため、これを優先的に消去しても不都合の生じることは少ないからである。
【０１７２】
次にステップＳ１５へ移行し、ステップＳ１１において判別した管理情報のデータサイズ分の空き領域を確保できたか否か判断する。その結果、識別番号Ｎ０４のディスク９０の管理情報を消去することにより、当該データサイズ分の空き領域を確保できている場合には、ステップＳ１３へ移行し、管理情報記憶領域１４３に、今回新たに装着されたディスク９０における管理情報を記憶させる。一方、当該データサイズ分の空き領域を確保することができなかった場合には、ステップＳ１６へ移行する。
【０１７３】
ステップＳ１６へ移行した場合には、図２１に示す例では識別番号N０５の管理情報にあたる、最初から２番目に記憶された管理情報を消去する。また、これ以降についても、ステップＳ１５において当該データサイズ分の空き領域を確保することができるまで、先に記憶された管理情報から順に消去していく。
【０１７４】
仮に、判別したデータサイズから図２１の斜線で示される領域を空き領域として確保する必要がある場合には、最先に記憶された識別番号N０４に基づく管理情報から順に、識別番号N０７に基づく管理情報に至るまで消去することにより、これを実現する。
【０１７５】
このように、本発明を適用したディスクドライブ装置１０では、先に装着されたディスク９０の識別番号から順に識別番号記憶領域１４１内に記憶しているため、空き領域を確保する場合には、この識別番号記憶領域１４１に記憶されている最右下にある識別番号を特定することにより、最先に記憶された管理情報を容易に特定することができ、以降消去すべき管理情報の識別番号についても容易に特定することができる。
【０１７６】
即ち、このディスクドライブ装置１０では、一枚のディスク９０に対する管理情報のデータ量を可変にするとともに、これを記憶する有限のディスクメモリとしての補助メモリ１４を有効活用することができ、多くのトラック数に応じた管理情報を記憶することができる。
【０１７７】
なお、このディスクドライブ装置１０を記録装置として適用する場合においても同様に、記録すべきディスク９０から取得した管理情報のデータサイズを判別し、判別した管理情報のデータサイズが補助メモリ１４における管理情報記憶領域１４３の空き領域より大きい場合に、当該管理情報記録領域１４３に既に記憶されている管理情報を上述の如く消去することにより、同様の効果を得ることができる。
【図面の簡単な説明】
【０１７８】
【図１】次世代ＭＤ１及び次世代ＭＤ２、並びに従来のミニディスクの仕様を説明する図である。
【図２】次世代ＭＤ１及び次世代ＭＤ２における誤り訂正方式のＢＩＳ付きＲＳ−ＬＤＣブロックを説明する図である。
【図３】次世代ＭＤ１及び次世代ＭＤ２の１レコーディングブロック内のＢＩＳ配置を説明する図である。
【図４】次世代ＭＤ１のディスク盤面上のエリア構成を説明する模式図である。
【図５】次世代ＭＤ２のディスク盤面上のエリア構成を説明する模式図である。
【図６】次世代ＭＤ１のディスクにオーディオデータとＰＣ用データとを混在記録した場合の盤面上のエリア構成を説明する模式図である。
【図７】次世代ＭＤ１のデータ管理構造を説明する模式図である。
【図８】次世代ＭＤ２のデータ管理構造を説明する模式図である。
【図９】次世代ＭＤ１及び次世代ＭＤ２のＡＤＩＰセクタ構造とデータブロックとの関係を説明する模式図である。
【図１０】次世代ＭＤ２のＡＤＩＰデータ構造、並びに次世代ＭＤ１のＡＤＩＰデータ構造を示す模式図である。
【図１１】次世代ＭＤ２のデータ管理構造の変形例を説明する模式図である。
【図１２】次世代ＭＤ１及び次世代ＭＤ２に対して互換性を有して記録再生を行うディスクドライブ装置を説明するブロック図である。
【図１３】筐体外部に設けられる操作部並びに表示部の構成例を示す図である。
【図１４】表示部の詳細につき説明するための図である。
【図１５】ディスクドライブ装置のメディアドライブ部を説明するためのブロック図である。
【図１６】各種モードの設定に至るまでのツリー構成を示す図である。
【図１７】管理情報を記憶する補助メモリのマッピング例を示す図である。
【図１８】識別番号記憶領域への識別番号の記憶例につき説明するための図である。
【図１９】識別用データ記憶領域並びに管理情報記憶領域に記憶されている各種情報につき説明するための図である。
【図２０】管理情報を消去する手順を示すフローチャートである。
【図２１】最初に装着されたディスクの管理情報から順に消去する例を示す図である。
【符号の説明】
【０１７９】
１０  ディスクドライブ装置、１１  メディアドライブ部、１２  メモリ転送コントローラ、１３  クラスタバッファメモリ、１４  補助メモリ、１５,１６  ＵＳＢインタフェース、１７  ＵＳＢハブ、１８  システムコントローラ、１９  オーディオ処理部、６１  操作部、６２  表示部、７１  ＲＥＣキー、８１  グループキー、８２  シャッフルキー、９０  ディスク
【図１】
2005228380.tif 000003
【図２】
2005228380.tif 000004
【図３】
2005228380.tif 000005
【図４】
2005228380.tif 000006
【図５】
2005228380.tif 000007
【図６】
2005228380.tif 000008
【図７】
2005228380.tif 000009
【図８】
2005228380.tif 000010
【図９】
2005228380.tif 000011
【図１０】
2005228380.tif 000012
【図１１】
2005228380.tif 000013
【図１２】
2005228380.tif 000014
【図１３】
2005228380.tif 000015
【図１４】
2005228380.tif 000016
【図１５】
2005228380.tif 000017
【図１６】
2005228380.tif 000018
【図１７】
2005228380.tif 000019
【図１８】
2005228380.tif 000020
【図１９】
2005228380.tif 000021
【図２０】
2005228380.tif 000022
【図２１】
2005228380.tif 000023